(57)【要約】【目的】ホテルでのネット閲覧が快適に行えるホテル用ネット閲覧システムを提供する。【構成】このホテル用ネット閲覧システムは、ホテルの部屋のベットに配置されたネット閲覧／ディジタル放送受信装置３０…と各３０装置を管理する管理サーバ１６とから成る。管理サーバ１６には有料サイト閲覧に必要なアカウントが複数事前に登録されており、ネット閲覧／ディジタル放送受信装置３０が有料サイトへのアクセスを行った場合に、前記アカウントを用いて自動ログインを実行するように構成されている。有料サイトへのアクセスを行った場合、当該ネット閲覧／ディジタル放送受信装置３０が配備されている部屋の利用者に対してホテル側が予め定めている料金を課金する。【選択図】　　　図１
2004110392.tif 000002
【特許請求の範囲】
【請求項１】
ホテルの部屋に配置されたネット閲覧装置と各ネット閲覧装置を管理する管理サーバとから成るホテル用ネット閲覧システムであって、前記管理サーバは事前に有料サイト閲覧に必要なアカウントを複数登録しており、ネット閲覧装置が有料サイトへのアクセスを行った場合に、前記アカウントを用いて自動ログインを実行するように構成されたことを特徴とするホテル用ネット閲覧システム。
【請求項２】
請求項１に記載のホテル用ネット閲覧システムにおいて、前記アカウントはネット閲覧装置ごとに事前に取得登録されていることを特徴とするホテル用ネット閲覧システム。
【請求項３】
請求項１又は請求項２に記載のホテル用ネット閲覧システムにおいて、ネット閲覧装置が有料サイトへのアクセスを行った場合に、当該ネット閲覧装置が配備されている部屋の利用者に対してホテル側が料金の課金処理を行うように構成されたことを特徴とするホテル用ネット閲覧システム。
【請求項４】
請求項１乃至請求項３のいずれかに記載のホテル用ネット閲覧システムにおいて、有料サイトでの有料操作に対する請求は有料サイトからホテルに対して行われ、ホテル側は前記有料操作を実行したネット閲覧装置が配備されている部屋の利用者に対して課金処理を行うように構成されたことを特徴とするホテル用ネット閲覧システム。
【請求項５】
ホテルの部屋に配置されたネット閲覧装置と部屋内設備を制御するコントローラとから成るホテル用ネット閲覧システムであって、送られてきたファイルの内容に基づいて前記コントローラへ指令信号を出力する指令手段を備えたことを特徴とするホテル用ネット閲覧システム。
【請求項６】
ホテルの部屋に配置されたネット閲覧装置と携帯端末からの情報転送を受ける情報取得手段とから成るホテル用ネット閲覧システムであって、利用者の携帯端末に格納されているネット閲覧に必要な情報を前記情報取得手段が受け取り、この情報を用いてネット閲覧が行えるように構成されたことを特徴とするホテル用ネット閲覧システム。
【請求項７】
請求項６に記載のホテル用ネット閲覧システムにおいて、部屋料金清算に連動して前記情報の消去処理が行われるように構成されたことを特徴とするホテル用ネット閲覧システム。
【請求項８】
請求項１乃至請求項７のいずれかに記載のホテル用ネット閲覧システムにおいて、部屋内に大画面ディスプレイを備え、利用者の操作によって前記大画面ディスプレイにてネット閲覧が行えるように構成されたことを特徴とするホテル用ネット閲覧システム。
【請求項９】
請求項１乃至請求項８のいずれかに記載のホテル用ネット閲覧システムにおいて、ディジタル放送の双方向サービスを利用できる機能を備え、双方向のための情報送出経路としてネットワークを利用するように構成されたことを特徴とするホテル用ネット閲覧システム。
【発明の詳細な説明】
【０００１】
【産業上の利用分野】
この発明は、ホテル用ネット閲覧システムに関する。
【０００２】
【従来の技術】
インターネット上を流れる情報は益々多様化し、またその情報量も膨大なものである。インターネットの広まっていく初期においては研究所のサイトなどが多かったのに比べ、近年においては娯楽情報を提供するサイトが多く存在するようになってきている。また、ＡＤＳＬや光ファイバーによる高速常時接続が普及するに伴い動画配信のような大容量データのやり取りが可能となり、ビデオテープレコーダにて再生されていたような映像やケーブルテレビなどで配信されていたような映像などがネットワークを利用して配信されるようになっている。これら映像や情報を読み出すには個人所有のパーソナルコンピュータなどの場合、ブラウザソフトを用いて所望のサイトにアクセスし、必要であればユーザ登録や有料情報に対する支払い方法などの入力を行い閲覧することになる。
【０００３】
【発明が解決しようとする課題】
しかしながら、ホテルの部屋に設置してあるパーソナルコンピュータを使ってネット閲覧を行おうとすると、個人情報の入力が必要になってしまい、ネット閲覧後に個人情報の消去を忘れたり、たとえ消去したと思っても何らかの保存機能などによりパソコン内に残るようなことも起こりうる。また、ホテルでのネット利用において目的のものを表示させるまでに要する時間や手間が多大であると、利用者の利便性や快適性を損なってしまうことになる。
【０００４】
この発明は、上記の事情に鑑み、ホテルでのネット閲覧が快適に行えるホテル用ネット閲覧システムを提供することを目的とする。
【０００５】
【課題を解決するための手段】
この発明のホテル用ネット閲覧システムは、上記の課題を解決するために、ホテルの部屋に配置されたネット閲覧装置と各ネット閲覧装置を管理する管理サーバとから成るホテル用ネット閲覧システムであって、前記管理サーバは事前に有料サイト閲覧に必要なアカウントを複数登録しており、ネット閲覧装置が有料サイトへのアクセスを行った場合に、前記アカウントを用いて自動ログインを実行するように構成されたことを特徴とする。
【０００６】
上記の構成であれば、ホテル利用者は個人情報の入力を行うことなく、有料サイト閲覧が可能になる。従って、個人情報の入力手間がかからないだけでなく、個人情報が残ってしまうといった問題も解消されることになる。
【０００７】
前記アカウントはネット閲覧装置ごとに事前に取得登録されていてもよい。
【０００８】
ネット閲覧装置が有料サイトへのアクセスを行った場合に、当該ネット閲覧装置が配備されている部屋の利用者に対してホテル側が料金の課金処理を行うように構成されているのがよい。
【０００９】
有料サイトでの有料操作に対する請求は有料サイトからホテルに対して行われ、ホテル側は前記有料操作を実行したネット閲覧装置が配備されている部屋の利用者に対して課金処理を行うように構成されていてもよい。
【００１０】
また、この発明のホテル用ネット閲覧システムは、ホテルの部屋に配置されたネット閲覧装置と部屋内設備を制御するコントローラとから成るホテル用ネット閲覧システムであって、送られてきたファイルの内容に基づいて前記コントローラへ指令信号を出力する指令手段を備えたことを特徴とする。
【００１１】
上記の構成であれば、例えば、閲覧しているコンテンツに「ホラー」などの内容を表す語句が検出されたとき、部屋内設備である照明装置において明滅動作を行わせたり、音響装置において特殊音を発生させたりすることができ、利用客を楽しませることができる。
【００１２】
また、この発明のホテル用ネット閲覧システムは、ホテルの部屋に配置されたネット閲覧装置と携帯端末からの情報転送を受ける情報取得手段とから成るホテル用ネット閲覧システムであって、利用者の携帯端末に格納されているネット閲覧に必要な情報を前記情報取得手段が受け取り、この情報を用いてネット閲覧が行えるように構成されたことを特徴とする。
【００１３】
上記の構成であれば、利用者がネット閲覧装置を操作して個人情報を打ち込むといった手間を不要にすることができる。
【００１４】
部屋料金清算に連動して前記情報の消去処理が行われるように構成されているのがよく、これにより、個人情報が残ってしまうといった問題も解消できる。
【００１５】
部屋内に大画面ディスプレイを備え、利用者の操作によって前記大画面ディスプレイにてネット閲覧が行えるように構成されていてもよい。また、ディジタル放送の双方向サービスを利用できる機能を備え、双方向のための情報送出経路としてネットワークを利用するように構成されていてもよい。
【００１６】
【発明の実施の形態】
以下、この発明のホテル用ネット閲覧システムを図１乃至図３に基づいて説明するが、この実施形態においては、ネット閲覧機能だけでなく、ディジタル放送受信機能を備える構成例について示している。図１はネット閲覧／ディジタル放送受信装置３０を示したブロック図であり、図２はホテルに設置されたベット（当該ベットにネット閲覧／ディジタル放送受信装置３０のディスプレイが組み込まれている）３１を例示した斜視図であり、図３は装置３０のディスプレイの画面遷移例を示した説明図である。
【００１７】
図１に示しているように、アンテナ１は、屋外において所定の方向に向けて配置されており、衛星から送られてくるディジタル放送波を受信する。なお、ケーブルを用いて放送を受信する場合には前記アンテナ１は不要である。
【００１８】
チューナ２は、受信した高周波ディジタル変調信号のうちから特定周波数を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポートストリームを出力する。
【００１９】
デマルチプレクサ（ＤＥＭＵＸ）３は、チューナ２から出力されるトランスポートストリームを、ＭＰＥＧ２（Ｍｏｖｉｎｇ　Ｐｉｃｔｕｒｅ　Ｅｘｐｅｒｔｓ　Ｇｒｏｕｐ２）のビデオストリーム、オーディオストリーム、及びＰＳＩ／ＳＩ（Ｐｒｏｇｒａｍ　Ｓｐｅｃｉｆｉｃ　Ｉｎｆｏｒｍａｔｉｏｎ／Ｓｅｒｖｉｃｅ　Ｉｎｆｏｒｍａｔｉｏｎ）に分離する。デマルチプレクサ３は、ビデオストリームとオーディオストリームをＡＶデコーダ４に供給し、ＰＳＩ／ＳＩをＣＰＵ１３に供給する。
【００２０】
ＡＶデコーダ４は、ビデオストリームに対してデコードを行うビデオデコーダ、及びオーディオストリームに対してデコードを行うオーディオデコーダを備える。ビデオデコーダは入力された符号化信号を復号して量子化係数や動きベクトルを求め、逆ＤＣＴ変換や動きベクトルに基づく動き補償制御などを行う。オーディオデコーダは入力された符号化信号を復号して音声データを生成する。
【００２１】
映像処理回路５はビデオデコーダからの映像データに基づいて液晶表示装置（ＬＣＤ）用の映像信号を生成し、この映像信号をＬＣＤ７に出力する。音声処理回路６はオーディオデコーダからの音声データに対してＤ／Ａ変換を行い、例えば右（Ｒ）音のアナログ信号及び左（Ｌ）音のアナログ信号を生成し、このアナログ音声信号をスピーカ８に出力する。
【００２２】
ブラウザ／ＯＳＤ回路１１は、ＣＰＵ１３から出力指示された文字情報や色情報に基づく映像データを生成して加算器２０に出力する。加算器１４は前記映像データをＡＶデコーダ４から出力される受信映像データに組み込む処理を行う。このブラウザ／ＯＳＤ回路１１によってメニュー画面やＥＰＧ画面が表示される他、ディジタルデータ放送やネットワークによって取得したファイル（ＢＭＬファイル、ＨＴＭＬファイル等）の閲覧も行えるようになっている。
【００２３】
ポインティングデバイスとしてトラックボール１０を設けているが、マウス等を備えることとしてもよい。トラックボール１０を操作することにより発生する信号はＣＰＵ１３に与えられる。また、ＬＣＤ７上にはタッチパネル９が設けられており、このタッチパネル９を操作することにより発生する信号もＣＰＵ１３に与えられる。勿論、これらの入力インターフェイスに限らず、リモコン送信機やディスプレイ横に配置したボタン等とすることができる。
【００２４】
メモリ（例えばＲＡＭやフラッシュＲＯＭやＥＥＰＲＯＭ等）１２には、番組情報などが格納される。
【００２５】
ＬＡＮ回路１５は、ネット閲覧／ディジタル放送受信装置３０と管理サーバ１６との間でデータや制御信号の送受信を実行する。
【００２６】
管理サーバ１６は、ホテル内のネット閲覧／ディジタル放送受信装置３０…に対する管理を行う。管理内容について以下に説明していく。なお、管理内容については通常のホテルシステムに係わるものは省略し、ここではネット接続に関する管理について説明していく。
【００２７】
管理サーバ１６は、有料サイトにアクセスするためのＵＲＬ、アカウント情報（ユーザＩＤやパスワード）、各ネット閲覧／ディジタル放送受信装置３０の識別情報、有料サイト利用時の料金情報等を保持する。ホテル側では各ネット閲覧／ディジタル放送受信装置３０ごとに事前登録が必要な有料サイトに関してアカウントを事前に取得して管理サーバ１６に蓄積している。管理サーバ１６は例えば「００１」の識別情報を持つ装置３０が登録有料サイト○○○へのアクセスを要求してきたとき、そのＵＲＬ情報をルータ１７に与える。インターネット１８を介して有料サイトからＨＴＭＬファイルが送られてきたら、ルータ１７を介して受け取る。ＨＴＭＬファイルがアカウントの入力を要求するファイルである場合、これを「００１」の識別情報を持つ装置３０に転送するのではなく、管理サーバ１６は例えばテーブルとして保持している識別情報「００１」についてのアカウントを当該テーブルから取得して前記ファイルに組み込み、送信する処理を行う（自動ログインする）。この送信で登録有料サイトからは、以後、コンテンツを成すファイルが送られてくることになるので、かかるファイルについては「００１」の識別情報を持つ装置３０に送る。また、「００１」の識別情報を持つ装置３０が置かれている部屋の番号についてもテーブルから取得することができ、当該番号の部屋の利用料金として有料サイト○○○の利用料金（１００円）を加算する処理を行う。また、有料サイトでの有料操作があった場合、これに対する請求は有料サイトからアカウントの所有者であるホテルに対して行い、ホテル側は前記有料操作を実行したネット閲覧装置が配備されている部屋の利用者に対して課金を行うようにしている。例えば、有料サイトでの有料操作が行われた場合、当該サイトから利用料金を示す情報を記したファイルを即時に送ってもらうようにしておく。管理サーバ１６は当該ファイルを監視しており、当該ファイルを受け取ると、有料操作が行われた装置３０が置かれている部屋の利用料金として前記利用料金を加算する処理を行う。なお、通信ログ（ＬＯＧ）において有料操作の有無や利用料金が判別できるようにしてあれば、この通信ログを用いて利用領域の算定処理を行うことができる。
【００２８】
上記の例では、ネット閲覧／ディジタル放送受信装置３０ごとに事前登録が必要な有料サイトに関してアカウントを事前に取得しておくこととしたが、これに限らず、例えば、１０個程度ほどアカウントを取得しておき、アクセスしてきた順に装置３０に割り当てていき、全てのアカウントが使用されているときに他の装置３０からのアクセスがあったとき、「このサイトへのアカウントは現在全て使用されておりますので、暫く後にアクセスし直してみて下さい」といったメッセージ画面を表示するようにしてもよい。
【００２９】
ネット閲覧／ディジタル放送受信装置３０のディスプレイ（ＬＣＤ７）上にはＣＰＵ１３及びブラウザ／ＯＳＤ回路１１の処理によって、図３（ａ）に示すように、初期メニュー画面が表示される。このなかの「インターネット」の項目が利用者によって選択されると、同図（ｂ）に示すように、次メニュー画面が表示される。そして、このなかの「有料サイト」の項目が利用者によって選択されると、同図（ｃ）に示すように、接続可能な有料サイト一覧画面が表示される。利用客が所望の有料サイトを選択すれば、同図（ｄ）に示すように、当該サイトが提供する有料ファイルを閲覧することができる。有料サイトへの接続処理については、前述した通りである。
【００３０】
各部屋のベット３１にネット閲覧／ディジタル放送受信装置３０のディスプレイ（ＬＣＤ７）を組み込んだが、ベット３１のそばに配置されるサイドボードに組み込むようにしてもよい。また、このような小型のディスプレイに加えて、大型のディスプレイ（ＰＤＰやプロジェクタ等）を配置し、この大型のディスプレイによってネット閲覧が行えるようにしてもよい。この場合、ホテル側は大型ディスプレイの使用に対して課金を行うようにしてもよい。
【００３１】
また、この実施形態のホテル用ネット閲覧システムでは、図１に示しているように、ネット閲覧／ディジタル放送受信装置３０が照明コントローラ１９やエアコンコントローラ２０に対して指令を与えることができるようにしている。照明コントローラ１９は部屋内の照明のＯＮ／ＯＦＦ、明暗、色調などを制御し、エアコンコントローラ２０は送風量や送風温度を制御する。装置３０においてブラウザ機能によるファイルの画面表示が行われているとき、ＣＰＵ１３はファイル内の語句を検索し、メモリ１２に予め登録してある語句群とファイル内の語句群とから、ファイルがどのようなジャンルに係わるものなのかを判断する。そして、例えば、当該ファイルがホラーものであるといった判断を行ったとき、照明コントローラ１９へは照明のＯＮ／ＯＦＦを繰り返すように指令を出し、エアコンコントローラ２０へは送風量を増大させるよう指令を出す。これにより、ホラー感が高まり、利用客を楽しませることができる。勿論、他のジャンルに係わるものについてもそのジャンルに適した制御を行えばよい。また、この機能は利用者の選択でＯＮ／ＯＦＦさせることができる。
【００３２】
また、図示はしていないが、無線データ通信機能（例えば、Ｂｌｕｅｔｏｏｔｈ　など）を備え、同様に無線データ通信機能を備える携帯情報端末（例えば、携帯電話）との間で情報の送受が行えるようになっていてもよい。利用客が自身の携帯電話等に所望のサイトにアクセスするための情報（ＵＲＬ，アカウント等）を格納しておけば、ホテルのネット閲覧／ディジタル放送受信装置３０に無線データ通信機能を使って上記情報を瞬時に与えることができる。ネット閲覧／ディジタル放送受信装置３０は上記情報に基づいてサイトにログインすることができる。かかるシステムにおいても、利用者がネット閲覧装置を操作して個人情報を打ち込むといった手間を不要にすることができる。ホテルのネット閲覧／ディジタル放送受信装置３０が取得した上記情報は、部屋料金清算に連動して消去が行われるように構成されているのがよい。例えば、図示しないホテルシステムコンピュータは料金清算が行われた部屋番号を管理サーバ１６に伝える。管理サーバ１６は前述したテーブルと前記通知された部屋番号とからネット閲覧／ディジタル放送受信装置３０を特定する。そして、この装置３０に対して上記情報を消去するよう指令を出す。この指令を受けた装置３０が上記情報を消去する処理を実行することにより、個人情報が残ってしまうといった問題が解消される。
【００３３】
また、ネット閲覧／ディジタル放送受信装置３０はディジタル放送の受信が可能であり、ディジタル放送では更に双方向サービスを受けることが可能である。双方向サービスを受ける場合、通常はモデムにより電話回線からセンターに自動発呼し、このセンターとの間でデータ送受を行うことにより実現されるが、この実施形態の装置３０においては、ＬＡＮ回路１５経由でセンターの双方向サービス用ページにアクセスすることで双方向サービスを利用できるようにしている。すなわち、電話番号の発信ではなく、センターの双方向サービス用のページにアクセスするためのＵＲＬを送出することとしている。
【００３４】
なお、有料サイトへの接続に関し、利用客が誤って有料サイトへアクセスすることが考えられるので、ディスプレイ上に確認メッセージを表示したり、ある一定時間以内だけのアクセスはアクセスしていないものとして許容する等の処理を行うようにしてもよい。また、ネット閲覧／ディジタル放送受信装置３０側でファイルがどのようなジャンルに係わるものなのかを判断し、部屋内設備をコントロールするようにしたが、管理サーバ１６側で判断しコントロールする構成とすることも可能である。この場合、部屋による設備や仕様の違いなどから、共通事項に関しては管理サーバ１６が行い、個別の仕様に関しては部屋ごとのネット閲覧／ディジタル放送受信装置３０が行うようにしてもよい。
【００３５】
【発明の効果】
以上説明したように、この発明のホテル用ネット閲覧システムであれば、ホテルでのネット閲覧が快適に行える等の諸効果を奏する。
【図面の簡単な説明】
【図１　】この実施形態のホテル用ネット閲覧システムを示したブロック図である。
【図２】ネット閲覧装置が配備されたベットを示した斜視図である。
【図３】ディスプレイの画面遷移例を示した説明図である。
【符号の説明】
２　　チューナ
３　　デマルチプレクサ（ＤＥＭＵＸ）
４　　ＡＶデコーダ
１１　ブラウザ／ＯＳＤ回路
１２　メモリ
１３　ＣＰＵ
１５　ＬＡＮ回路
１６　管理サーバ
１７　ルータ
１８　インターネット
【図１】
2004110392.tif 000003
【図２】
2004110392.tif 000004
【図３】
2004110392.tif 000005